(57)【要約】【課題】引戸と網戸とを備える枠の出幅を小さくでき且つ引戸の上部が屋根の側方へ食み出すように引戸を移動して開ける正面視略三角形の屋根付きの超小型サイズの組立建物の場合でも容易に施工できる引戸装置を提供する。【解決手段】本発明の引戸装置１において、上コ字状枠７は、上枠１９の左右方向中間部１９ａ及び戸当り枠２１、２３の下端部２１ａ、２３ａのみを組立建物の屋外側面に固定してあり、上枠１９及び下枠９は引戸１５の左右方向の寸法の略３倍の寸法を有し、左右の戸当り枠の下端部２１ａ、２３ａと下枠１９との間には隙間１０があり、引戸１５は開口部５の左側に移動自在であり、網戸１７は引戸１５と同一走行部２４、２６を移動して開口部５の右側に移動自在であり、引戸１５及び網戸１７の左右の竪框と開口部の竪縁１１、１３との間には気密材２９、３５を設けてある。【選択図】      図１
2004337127.tif 000002
【特許請求の範囲】
【請求項１】
開口部を有する組立建物の屋外側面に固定する正面視略コ字形状の上コ字状枠と、組立建物の屋外側面に固定する下枠と、引戸と、網戸とを備え、上コ字状枠は上枠と、上枠の端部から垂下する左右の戸当り枠とから成り、上枠の左右方向中間部及び戸当り枠の下端部のみを組立建物の屋外側面に固定してあり、上枠及び下枠は引戸の左右方向の寸法の略３倍の左右方向寸法を有しており、左右の戸当り枠の下端部と下枠との間には間隔が設けてあり、引戸は組立建物の開口部の左右方向寸法と略同一の左右方向寸法を有するとともに、組立建物の開口部よりも左側及び右側の何れか一方側に移動自在であり、網戸は組立建物の開口部の左右方向寸法と略同一の左右方向寸法を有するとともに引戸と同一走行部を移動して組立建物の開口部よりも左側及び右側の何れか他方側に移動自在であり、引戸及び網戸の左右の竪框と組立建物の開口部の竪縁との間には気密材を設けてあることを特徴とする引戸装置。
【発明の詳細な説明】
【０００１】
【発明の属する技術分野】
本発明は、組立建物の開口部を開閉する引戸装置に関する。
【０００２】
【従来の技術】
特許文献１には、組立建物の開口部に２枚引戸を設け、各引戸が同一走行部を移動して２枚の引戸で開口部を開閉する引戸装置が開示されている。
【０００３】
【特許文献１】
実開平４−７４９３９号公報
【０００４】
【発明が解決しようとする課題】
しかし、組立建物に引戸の他に網戸を併用したいという要求がある。引戸の他に網戸を設ける場合には、引戸用の走行部（レール）と網戸用の走行部（レール）を備える枠を用いるか、引戸用の走行部を備える枠に別途、網戸用の走行部を取り付ける必要があるが、いずれの場合でも２つの走行部を設ける必要があるため、枠の出幅が大きくなるという問題がある。また、この引戸装置では、引戸の上部が屋根の側方へ食み出すように引戸を移動して開ける必要のある正面視略三角形の屋根付きの超小型サイズの温室（組立建物）の場合に、枠を固定することが困難で、容易に施工することができなかった。
そこで、本発明は、引戸と網戸とを備えながら枠の出幅を小さくでき且つ引戸の上部が屋根の側方へ食み出すように引戸を移動して開ける必要のある正面視略三角形の屋根付きの超小型サイズの組立建物の場合でも容易に施工できる引戸装置の提供を目的とする。
【０００５】
【課題を解決するための手段】
請求項１に記載の発明は、開口部を有する組立建物の屋外側面に固定する正面視略コ字形状の上コ字状枠と、組立建物の屋外側面に固定する下枠と、引戸と、網戸とを備え、上コ字状枠は上枠と、上枠の端部から垂下する左右の戸当り枠とから成り、上枠の左右方向中間部及び戸当り枠の下端部のみを組立建物の屋外側面に固定してあり、上枠及び下枠は引戸の左右方向の寸法の略３倍の左右方向寸法を有しており、左右の戸当り枠の下端部と下枠との間には間隔が設けてあり、引戸は組立建物の開口部の左右方向寸法と略同一の左右方向寸法を有するとともに、組立建物の開口部よりも左側及び右側の何れか一方側に移動自在であり、網戸は組立建物の開口部の左右方向寸法と略同一の左右方向寸法を有するとともに引戸と同一走行部を移動して組立建物の開口部よりも左側及び右側の何れか他方側に移動自在であり、引戸及び網戸の左右の竪框と組立建物の開口部の竪縁との間には気密材を設けてあることを特徴とする。
【０００６】
この請求項１に記載の発明において、引戸装置の施工は、組立建物の屋外側面に上コ字状枠と下枠とを固定するが、上コ字状枠は、上枠の左右方向中間部と、左右の戸当り枠の下端部のみとを組立建物に固定すればよく、戸当り枠では下端部のみの固定で足りるので、必要最小限度の固定で済み、正面視略三角屋根付きの超小型サイズの組立建物であっても容易に施工できる。
戸当り枠の下端部と下枠との間には間隔が設けてあるから、戸当り枠を下枠まで届く寸法にする場合に比較して、戸当り枠の寸法が短くて済み使用する材料を少なくできるので、コスト低減を図ることができる。
網戸は引戸と同じ走行部を走行するから、網戸用の走行部を引戸用の走行部と別に設ける場合に比較して、枠の出幅寸法を小さくできる。
網戸は引戸と同じ走行部を走行するので、引戸用の走行部のほかに網戸用の走行部を設ける必要がなく、構成が簡易である。
【０００７】
【発明の実施の形態】
以下に、添付図面を参照して本発明の実施の形態を説明する。図１は本発明の実施の形態にかかる引戸装置を備えた組立建物の斜視図であり、図２は図１に示す組立建物のＡ−Ａ断面図であり、図３は図１に示す組立建物のＢ−Ｂ断面図であり、図４は網戸と引戸との移動位置を示す図であり、図１のＡ−Ａ断面図であり、図５は図１に示すＦ部の分解斜視図である。
本実施の形態にかかる引戸装置１は、組立建物３の出入口開口部５がある正面側に設けてある。組立建物３は温室であり、パネルにより組立られている。
引戸装置１は、上コ字状枠７と、下枠９と、引戸１５と、網戸１７とを備えている。
上コ字状枠７は、組立建物３の屋外側面の上部に固定してあり、正面視略コ字状を成している。この上コ字状枠７は、水平方向に設けた上枠１９と、上枠１９の左右端部からそれぞれ垂下する戸当り枠２１、２３とから構成されており、戸当り枠２１、２３の各下端部２１ａ、２３ａは、下枠９との間に間隔１０を形成している。
上コ字状枠７では、上枠１９の左右方向中間部１９ａと、各戸当り枠２１、２３の各下端２１ａ、２３ａのみとがそれぞれ組立家屋３の正面側にねじ１８、２２、２２によりそれぞれ固定されている。即ち、各戸当り枠２１、２３では、それぞれ各下端部２１ａ、２３ａの１箇所で固定しており、上枠１９の中間部１９ａでは左右方向に複数箇所で固定している。
下枠９は組立建物の正面側下部にねじにより固定されている。
下枠９及び上枠１９の長手方向の寸法Ｈは、開口部５の左右方向の寸法Ｗの略３倍の寸法であり、開口部５の左右側にそれぞれ開口部５の左右方向の寸法Ｗと略同じ寸法を取っている。
下枠９には引戸１５及び網戸１７が移動する下レール（走行部）２４が設けられており、上枠にも引戸１５及び網戸１７の移動を案内する上レール（走行部）２６が設けられている。引戸１５及び網戸１７は同一のレール２４、２６を左右に移動自在になっている。
左右の竪枠１１、１３は開口部５の竪縁を形成している。
引戸１５は開口部５の左右方向寸法Ｗと略同一の左右方向寸法を有しており、開口部５を塞ぐ位置及び開口部５の右側（一方側）に移動して開口部５を開ける位置に移動自在になっている。尚、引戸１５の下框にはレールを走行する車輪３０が設けられている。また、引戸１５には、左右の竪框２５、２７のそれぞれに左右の竪枠１１、１３との間の気密を図る気密材２９が取り付けられている。
網戸１７は、左右の竪框３１、３３のそれぞれに左右の竪枠１１、１３との間の気密を図る気密材３５が取り付けられている。網戸１７は開口部５の左右方向寸法と略同一の左右方向寸法Ｗを有しており、開口部５を塞ぐ位置及び開口部５の左側（他方側）に移動して開口部５を開ける位置に移動自在になっている。
【０００８】
次に、本実施の形態にかかる引戸装置１の施工及び作用について説明する。引戸装置１の施工は、組立建物３の開口部５側において、組立建物３の屋外側面の下部に下枠９を取り付け、開口部５の上部に上コ字状枠７を取り付ける。上コ字状枠７の取り付けは、上枠１９の左右方向中間部１９ａと、左右の戸当り枠２１、２３の下端部２１ａ、２３ａのみを組立建物３にねじ止めにより固定する。本実施の形態では、上コ字状枠７の戸当り枠２１、２３は下端部２１ａ、２３ａのみの固定で足りるから、必要最小限度の固定で済み、施工が容易である。
特に、本実施の形態では、正面側から見た組立建物の屋根が略三角形形状であり、正面側に上コ字状枠を取り付ける位置では、上枠１９の両端部と、戸当り枠２１、２３の下端部を除く部分との裏側は空間になってしまうので、上枠１９の中間部１９ａと戸当り枠２１、２３の下端部２１ａ、２３ａの固定により、取り付けできる。
本実施の形態では、図５に示すように、戸当り枠２１、２３の下端部２１ａ、２３ａは、側枠５１と前枠５３と柱５５とを連結しているコーナ部材５７に固定しているので、強固に固定できる。更に、戸当り枠２１、２３を下枠９に至る長さにまでして下枠９に９に固定する場合にはコーナ部材５７の厚み分だけ組立建物の屋外側面から戸当り枠２１、２３が浮いてしまう（隙間ができてしまう）から戸当り枠２１、２３の長手方向に亘って浮いた隙間を埋めるスペーサを必要とするが、本実施の形態では、戸当り枠２１、２３の下端部２１ａ、２３ａは下枠９との間に間隔１０を設ける寸法とし、下端部２１ａ、２３ａのみをコーナ部材５７に固定しているので、上述のようなスペーサを必要とせず、施工性が良い。
また、戸当り枠２１、２３の下端部２１ａ、２３ａと下枠９との間には間隔１０が設けてあるから、戸当り枠２１、２３を下枠９まで届く寸法にする場合に比較して、戸当り枠２１、２３の寸法が短くて済み使用する材料を少なくでき、コスト低減を図ることができる。
次に、上枠１９と下枠９との間に引戸１５を装着する。引戸１５は下框２９を下レール２４に係合し、上框４１を上レールに２６に係合して装着する。
網戸１７は、引戸１５と同じレールに２４、２６に網戸１７を係合して取り付ける。網戸１７は引戸１５と同じレール２４、２６に装着するだけであるから、別途新たな施工を伴わないでそのまま引戸用の枠に装着できる。したがって、網戸１７の取り付けが容易である。
引戸１５の左右の竪框２５、２７及び網戸１７にも左右の竪框３１、３３に気密材３５を取り付けてあるが、引戸１５の気密材２９と網戸１７の気密材２９とは、各竪框２５、２７３１、３３と対向する開口部の竪框１１、１３との間の距離が略同じであるから、網戸１７と引戸１５とに同じ寸法の框（同種の框）を用いた場合には、同じ寸法の気密材（同種気密材）を用いることができる。したがって、引戸１５及び網戸１７の製造が容易である。
網戸１７は引戸１５と同一レール（走行部）２４、２６を走行するから、網戸用の走行部を引戸１５用の走行部と別に設ける場合に比較して、下枠９と上枠１９の出幅寸法を小さくできる。
引戸１５により開口部５を閉じる場合には、図４（ａ）に示すように、網戸１７を開口部５よりも左側（他方側）に寄せて、左戸当り枠２１に当接する位置に移動し、引戸１５を開口部５に対向する位置に移動する。引戸１５の左右の竪框２５、２７はそれぞれ開口部５の左右の竪框１１、１３に対向して位置する。この位置で引戸１５の各気密材２９、２９は開口部５の左右の竪框１１、１３に当接し、開口部５の竪框１１、１３と引戸１５の竪框２５、２７との間が気密に保持される。
開口部５を開く場合には、図４（ｂ）に示すように、引戸１５を開口部５よりも右側（一方側）に寄せて、右戸当り枠２１に当接する位置に移動し、網戸１７を開口部５よりも左側に寄せて、左戸当り枠２３に当接する位置に移動する。
開口部５を網戸１７で閉じる場合には、図４（ｃ）に示すように、引戸１５を開口部５よりも右側（一方側）に寄せて、右戸当り枠２１に当接させて配置し、網戸１７を開口部５に対向した位置に移動する。この位置で網戸１７の気密材３５、３５は開口部５の左右の竪框１１、１３に当接し、開口部５の竪框１１、１３と引戸１５の竪框２５、２７との間が気密に保持される。
【０００９】
本発明は、上述した実施の形態に限らず、本発明の要旨を逸脱しない範囲で種々変形可能である。
例えば、組立建物３は温室に限らず、物置等であってもよい。
コ字状枠の固定は、ねじ止めに限らず、ボルト止めや溶接であってもよく固定方法は限定されない。
上コ字状枠７の上枠１９は左右方向の中間部で複数箇所を固定することに限らず、左右方向の中央部に１箇所で固定しても良い。
引戸１５及び網戸１７はいずれを左側（又は右側）に配置してもよい。
左右の戸当り枠２１、２３の長さは下枠９との間に間隔１０があれば、その長さは限定されない。
気密材２９、３５は、引戸１５及び網戸１７の各左右の竪框２５、２７、３１、３３に設けることに限らず、開口部５の左右の竪枠１１、１３に設けてもよい。
【００１０】
【発明の効果】
請求項１に記載の発明によれば、引戸装置の施工において、上コ字状枠は、上枠の左右方向中間部と、左右の戸当り枠の下端部のみとを組立建物に固定すればよく、戸当り枠では下端部のみの固定で足りるので、必要最小限度の固定で済み、正面視略三角屋根付きの超小型サイズの組立建物であっても容易に施工できる。
戸当り枠の下端部と下枠との間には間隔が設けてあるから、間隔を設けないで戸当り枠を下枠まで届く寸法にする場合に比較して、戸当り枠の寸法が短くて済み使用する材料を少なくでき、コスト低減を図ることができる。
網戸は引戸と同じ走行部を走行するから、網戸用の走行部を引戸用の走行部と別に設ける場合に比較して、枠の出幅寸法を小さくできる。
網戸は引戸と同じ走行部を走行するので、引戸用の走行部のほかに網戸用の走行部を設ける必要がなく、構成が簡易である。
【図面の簡単な説明】
【図１】本発明の実施の形態にかかる引戸装置を備えた組立建物の斜視図である。
【図２】図１に示す組立建物のＡ−Ａ断面図である。
【図３】図１に示す組立建物のＢ−Ｂ断面図である。
【図４】網戸と引戸との移動位置を示す引戸装置の横断面図である。
【図５】図１に示すＦ部の分解斜視図である。
【符号の説明】
１      引戸装置
３      組立建物
５      出入口開口部（開口部）
７      上コ字状枠
９      下枠
１０    間隔
１１    左竪枠（竪縁）
１３    右竪枠（竪縁）
１５    引戸
１７    網戸
１９    上枠
１９ａ  中間部
２１    左戸当り枠
２１ａ  下端部
２３    右戸当り枠
２３ａ  下端部
２４    下レール（走行部）
２５    竪框
２６    上レール（走行部）
２７    竪框
２９    気密材（引戸の気密材）
３５    気密材（網戸の気密材）
【図１】
2004337127.tif 000003
【図２】
2004337127.tif 000004
【図３】
2004337127.tif 000005
【図４】
2004337127.tif 000006
【図５】
2004337127.tif 000007